(57)【要約】【課題】工事現場の状況をリアルタイムに確認することができると共に、工事現場が複数存在する場合には、それら複数の工事現場から送信された画像がどの工事現場に対応するものかを容易に把握することができ、複数の工事現場を効率的に管理することが可能となる現場管理システム及びその現場管理システムで使用される管理装置の提供。【解決手段】現場管理システムは、現場に配置され、所定範囲の画像を撮影して動画として配信するカメラと、前記カメラが配信する動画を受信し、特定地域の地図上に前記カメラの位置を表示した管理用地図を配信自在であると共に、前記カメラが配信する動画を配信自在な管理装置と、前記管理用地図を前記管理装置から受信して表示自在であると共に、前記カメラが配信する動画を前記管理装置から受信して表示自在な端末装置とを備える。【選択図】  図１
2004193690.tif 000002
【特許請求の範囲】
【請求項１】
現場に配置され、所定範囲の画像を撮影して動画として配信するカメラと、
前記カメラが配信する動画を受信し、特定地域の地図上に前記カメラの位置を表示した管理用地図を配信自在であると共に、前記カメラが配信する動画を配信自在な管理装置と、
前記管理用地図を前記管理装置から受信して表示自在であると共に、前記カメラが配信する動画を前記管理装置から受信して表示自在な端末装置と
を備えることを特徴とする現場管理システム。
【請求項２】
現場に配置され、所定範囲の画像を撮影して動画として配信すると共に、自己の位置データを送信自在なカメラと、
前記カメラが配信する動画と位置データとを受信し、前記位置データに基づいて特定地域の地図上に前記カメラの位置を表示した管理用地図を配信自在であると共に、前記カメラが配信する動画を前記地図上に位置表示したそのカメラと関連付けた状態で配信自在な管理装置と、
前記管理用地図を前記管理装置から受信して表示自在であると共に、前記カメラが配信する動画を前記地図上に位置表示したそのカメラと関連付けた状態で前記管理装置から受信して表示自在な端末装置と
を備えることを特徴とする現場管理システム。
【請求項３】
現場に配置され、所定範囲の画像を撮影して動画として配信すると共に、自己の位置データと自己の方位データとを送信自在なカメラと、
前記カメラが配信する動画と位置データと方位データとを受信し、前記位置データ及び前記方位データに基づいて特定地域の地図上に前記カメラの位置及び撮影範囲を表示した管理用地図を配信自在であると共に、前記カメラが配信する動画を前記地図上に位置表示したそのカメラと関連付けた状態で配信自在な管理装置と、
前記管理用地図を前記管理装置から受信して表示自在であると共に、前記カメラが配信する動画を前記地図上に位置表示したそのカメラと関連付けた状態で前記管理装置から受信して表示自在な端末装置と
を備えることを特徴とする現場管理システム。
【請求項４】
前記現場は別個の地理的位置に複数存在し、
前記カメラは複数配置されると共に、各カメラは１以上の前記現場を監視可能な位置に配置され、
前記管理装置は、前記各カメラの位置データに基づき、前記地図上において前記各カメラの位置を表示した管理用地図を作成自在であると共に、前記複数のカメラから配信された複数の動画の各々を、前記地図上の前記複数のカメラの各々と関連付けて配信自在であり、
前記端末装置は、前記管理用地図を前記管理装置から受信して表示自在であると共に、前記複数のカメラが配信した複数の動画の各々を、前記地図上の前記複数のカメラの各々と関連付けた状態で前記管理装置から受信して表示自在であることを特徴とする請求項１乃至３のいずれか１項記載の現場管理システム。
【請求項５】
前記現場は別個の地理的位置に複数存在し、
前記カメラは複数配置されると共に、各カメラは１以上の前記現場を監視可能な位置に、前記現場を特定の方向から撮影するような方位で配置され、
前記管理装置は、前記各カメラの位置データ及び方位データに基づき、前記地図上において前記各カメラの位置を表示すると共に前記各カメラの撮影方向を表示した管理用地図を作成自在であると共に、前記複数のカメラから配信された複数の動画の各々を、前記地図上の前記複数のカメラの各々と関連付けて配信自在であり、
前記端末装置は、前記管理用地図を前記管理装置から受信して表示自在であると共に、前記複数のカメラが配信した複数の動画の各々を、前記地図上の前記複数のカメラの各々と関連付けた状態で前記管理装置から受信して表示自在であることを特徴とする請求項１乃至３のいずれか１項記載の現場管理システム。
【請求項６】
前記管理装置は、前記カメラに固有の撮影可能角度範囲に基づき、前記カメラの撮影方向に加えてその撮影範囲を表示した前記管理用地図を作成自在であることを特徴とする請求項５記載の現場管理システム。
【請求項７】
更に、
前記地図と、前記カメラの位置データと、前記現場の位置データとを格納する地図・地図情報データベースサーバと、
前記カメラから配信される動画を格納する画像管理データベースサーバと、
前記カメラの属性と、前記現場の属性とを格納するデータ管理データベースサーバとを含み、
前記管理装置は、
前記地図・地図情報データベースサーバから前記カメラが存在する特定地域の地図と前記カメラの位置データとを取得し、そのカメラの位置データに基づき前記地図上に前記カメラの位置を表示すると共に、そのカメラの方位データに基づき前記地図上に前記カメラの撮影範囲を表示して前記管理用地図を作成し、
前記端末装置の要求に応答してその端末装置に前記管理用地図を送信すると共に、その端末装置から前記地図上のいずれかのカメラを特定してそのカメラの動画の要求があったときに、その特定のカメラのその時点の動画を前記画像管理データベースサーバから取得してその端末装置にリアルタイムに配信する
ことを特徴とする請求項６記載の現場管理システム。
【請求項８】
現場に配置されて所定範囲の画像を撮影して動画として配信するカメラと、端末手段と共に使用され、
前記カメラが配信する動画を受信する受信手段と、
特定地域の地図上に前記カメラの位置を表示した管理用地図を前記端末装置に配信自在な管理用地図配信手段と、
前記カメラが配信する動画を前記端末装置に配信自在な動画配信手段と
を備えることを特徴とする現場管理システム用管理装置。
【請求項９】
現場に配置されて所定範囲の画像を撮影して動画として配信すると共に自己の位置データを送信自在なカメラと、端末手段と共に使用され、
前記カメラが配信する動画と位置データとを受信する受信手段と、
前記位置データに基づいて特定地域の地図上に前記カメラの位置を表示した管理用地図を前記端末装置に配信自在な管理用地図配信手段と、
前記カメラが配信する動画を前記地図上に位置表示したそのカメラと関連付けた状態で前記端末装置に配信自在な動画配信手段と
を備えることを特徴とする現場管理システム用管理装置。
【請求項１０】
現場に配置されて所定範囲の画像を撮影して動画として配信すると共に自己の位置データと自己の方位データとを送信自在なカメラと、端末手段と共に使用され、
前記カメラが配信する動画と位置データと方位データとを受信する受信手段と、
前記位置データ及び前記方位データに基づいて特定地域の地図上に前記カメラの位置及び撮影範囲を表示した管理用地図を前記端末装置に配信自在な管理用地図配信手段と、
前記カメラが配信する動画を前記地図上に位置表示したそのカメラと関連付けた状態で前記端末装置に配信自在な動画配信手段と
を備えることを特徴とする現場管理システム用管理装置。
【発明の詳細な説明】
【０００１】
【発明の属する技術分野】
本発明は、土木工事現場等の現場の状況に関する情報をリアルタイムに提供する現場管理システム及びその現場管理システムで使用される管理装置に関する。
【０００２】
【従来の技術】
従来、土木工事現場とうの工事現場の状況を管理するには、いわゆる施工写真管理が使用されている。この施工者新管理とは、工事現場の状況を静止カメラで撮影し、その写真を確認することで、工事現場を管理するものである。しかし、この施工写真管理では、あくまでも撮影時点での現場の状況、即ち、過去の状況を確認することができるのみであり、現在の状況をリアルタイムに確認することはできない。一方、工事現場の状況をリアルタイムに監視するものとして、例えば、特許文献１に記載の技術がある。
【特許文献１】
特開２００２−２６９１７６号公報
【０００３】
特許文献１に記載の技術は、土木機械や建設機械等にデジタル撮影装置や携帯電話等を接続する。そして、工事現場をデジタル撮影装置により撮影して、その現場画像を携帯電話とうにより発信する。これにより、工事関係者等は、携帯電話を接続したインターネット接続機能付きの情報端末により、工事現場を監視することができる。
【０００４】
【発明が解決しようとする課題】
しかし、特許文献１に記載の技術では、工事関係者等が特定の工事現場の状況を画像によりリアルタイムに確認することは可能であると思われるが、工事現場が複数存在する場合の処理については具体的に開示も示唆もされていない。
【０００５】
即ち、工事現場が複数存在する場合、それら複数の工事現場からそれぞれ画像が送信されることになるため、送信された画像がどの工事現場に対応するものかを確認するための情報が必要となる。
【０００６】
そこで、本発明は、工事現場の状況をリアルタイムに確認することができると共に、工事現場が複数存在する場合には、それら複数の工事現場から送信された画像がどの工事現場に対応するものかを容易に把握することができ、複数の工事現場を効率的に管理することが可能となる現場管理システム及びその現場管理システムで使用される管理装置の提供を課題とする。
【０００７】
【課題を解決するための手段】
請求項１に係る現場管理システムは、現場に配置され、所定範囲の画像を撮影して動画として配信するカメラと、前記カメラが配信する動画を受信し、特定地域の地図上に前記カメラの位置を表示した管理用地図を配信自在であると共に、前記カメラが配信する動画を配信自在な管理装置と、前記管理用地図を前記管理装置から受信して表示自在であると共に、前記カメラが配信する動画を前記管理装置から受信して表示自在な端末装置とを備える。
【０００８】
請求項２に係る現場管理システムは、現場に配置され、所定範囲の画像を撮影して動画として配信すると共に、自己の位置データを送信自在なカメラと、前記カメラが配信する動画と位置データとを受信し、前記位置データに基づいて特定地域の地図上に前記カメラの位置を表示した管理用地図を配信自在であると共に、前記カメラが配信する動画を前記地図上に位置表示したそのカメラと関連付けた状態で配信自在な管理装置と、前記管理用地図を前記管理装置から受信して表示自在であると共に、前記カメラが配信する動画を前記地図上に位置表示したそのカメラと関連付けた状態で前記管理装置から受信して表示自在な端末装置とを備える。
【０００９】
請求項３に係る現場管理システムは、現場に配置され、所定範囲の画像を撮影して動画として配信すると共に、自己の位置データと自己の方位データとを送信自在なカメラと、前記カメラが配信する動画と位置データと方位データとを受信し、前記位置データ及び前記方位データに基づいて特定地域の地図上に前記カメラの位置及び撮影範囲を表示した管理用地図を配信自在であると共に、前記カメラが配信する動画を前記地図上に位置表示したそのカメラと関連付けた状態で配信自在な管理装置と、前記管理用地図を前記管理装置から受信して表示自在であると共に、前記カメラが配信する動画を前記地図上に位置表示したそのカメラと関連付けた状態で前記管理装置から受信して表示自在な端末装置とを備える。
【００１０】
請求項４に係る現場管理システムは、請求項１乃至３のいずれかの構成において、前記現場が別個の地理的位置に複数存在し、前記カメラは複数配置されると共に、各カメラは１以上の前記現場を監視可能な位置に配置され、前記管理装置は、前記各カメラの位置データに基づき、前記地図上において前記各カメラの位置を表示した管理用地図を作成自在であると共に、前記複数のカメラから配信された複数の動画の各々を、前記地図上の前記複数のカメラの各々と関連付けて配信自在であり、前記端末装置は、前記管理用地図を前記管理装置から受信して表示自在であると共に、前記複数のカメラが配信した複数の動画の各々を、前記地図上の前記複数のカメラの各々と関連付けた状態で前記管理装置から受信して表示自在である。
【００１１】
請求項５に係る現場管理システムは、請求項１乃至３のいずれかの構成において、前記現場が別個の地理的位置に複数存在し、前記カメラは複数配置されると共に、各カメラは１以上の前記現場を監視可能な位置に、前記現場を特定の方向から撮影するような方位で配置され、前記管理装置は、前記各カメラの位置データ及び方位データに基づき、前記地図上において前記各カメラの位置を表示すると共に前記各カメラの撮影方向を表示した管理用地図を作成自在であると共に、前記複数のカメラから配信された複数の動画の各々を、前記地図上の前記複数のカメラの各々と関連付けて配信自在であり、前記端末装置は、前記管理用地図を前記管理装置から受信して表示自在であると共に、前記複数のカメラが配信した複数の動画の各々を、前記地図上の前記複数のカメラの各々と関連付けた状態で前記管理装置から受信して表示自在である。
【００１２】
なお、請求項４または５において、前記各カメラの位置データ及び／または方位データは、別個入力されたものでもよく、或いは、カメラに内蔵したＧＰＳ受信機及び／または方位センサから送信されたものでもよい。
【００１３】
請求項６に係る現場管理システムは、請求項５の構成において、前記管理装置が、前記カメラに固有の撮影可能角度範囲に基づき、前記カメラの撮影方向に加えてその撮影範囲を表示した前記管理用地図を作成自在である。
【００１４】
請求項７に係る現場管理システムは、請求項６の構成において、更に、前記地図と、前記カメラの位置データと、前記現場の位置データとを格納する地図・地図情報データベースサーバと、前記カメラから配信される動画を格納する画像管理データベースサーバと、前記カメラの属性と、前記現場の属性とを格納するデータ管理データベースサーバとを含み、前記管理装置は、前記地図・地図情報データベースサーバから前記カメラが存在する特定地域の地図と前記カメラの位置データとを取得し、そのカメラの位置データに基づき前記地図上に前記カメラの位置を表示すると共に、そのカメラの方位データに基づき前記地図上に前記カメラの撮影範囲を表示して前記管理用地図を作成し、前記端末装置の要求に応答してその端末装置に前記管理用地図を送信すると共に、その端末装置から前記地図上のいずれかのカメラを特定してそのカメラの動画の要求があったときに、その特定のカメラのその時点の動画を前記画像管理データベースサーバから取得してその端末装置にリアルタイムに配信する。
【００１５】
請求項８に係る現場管理システム用管理装置は、現場に配置されて所定範囲の画像を撮影して動画として配信するカメラと、端末手段と共に使用され、前記カメラが配信する動画を受信する受信手段と、特定地域の地図上に前記カメラの位置を表示した管理用地図を前記端末装置に配信自在な管理用地図配信手段と、前記カメラが配信する動画を前記端末装置に配信自在な動画配信手段とを備える。
【００１６】
請求項９に係る現場管理システム用管理装置は、現場に配置されて所定範囲の画像を撮影して動画として配信すると共に自己の位置データを送信自在なカメラと、端末手段と共に使用され、前記カメラが配信する動画と位置データとを受信する受信手段と、前記位置データに基づいて特定地域の地図上に前記カメラの位置を表示した管理用地図を前記端末装置に配信自在な管理用地図配信手段と、前記カメラが配信する動画を前記地図上に位置表示したそのカメラと関連付けた状態で前記端末装置に配信自在な動画配信手段とを備える。
【００１７】
請求項１０に係る現場管理システム用管理装置は、現場に配置されて所定範囲の画像を撮影して動画として配信すると共に自己の位置データと自己の方位データとを送信自在なカメラと、端末手段と共に使用され、前記カメラが配信する動画と位置データと方位データとを受信する受信手段と、前記位置データ及び前記方位データに基づいて特定地域の地図上に前記カメラの位置及び撮影範囲を表示した管理用地図を前記端末装置に配信自在な管理用地図配信手段と、前記カメラが配信する動画を前記地図上に位置表示したそのカメラと関連付けた状態で前記端末装置に配信自在な動画配信手段とを備える。
【００１８】
【発明の実施の形態】
以下、本発明の実施の形態を説明する。なお、各実施の形態を通じ、同一の部材、要素または部分には同一の符号を付して、その説明を省略する。
【００１９】
実施の形態１
図１は本発明の実施の形態１に係る現場管理システムを示す機能ブロック図である。
図１に示すように、実施の形態１に係る現場管理システムは、カメラとしてのライブカメラ１０と、管理装置２０と、地図サーバ３０と、アプリケーション（ＡＰ）サーバ４０と、ワールドワイドウェブ（ＷＷＷ）サーバ５０と、端末装置６０とを備える。図１に示すように、現場管理システムは、複数（３台）のライブカメラ１０を備え、それらを異なる所在地に配置する。例えば、複数（図では３つ）の施工業者が施工現場にそれぞれライブカメラ１０を設置する（図では３台）。また、各ライブカメラ１０は１以上の現場を監視可能な位置に設置される。ライブカメラ１０は、現場管理システムの現場側装置を構成する。
【００２０】
前記管理装置２０、地図サーバ３０、ＡＰサーバ４０及びＷＷＷサーバ５０は、クライアントサーバシステムにおけるサーバ側装置を構成する。管理装置２０には、インターネット等のネットワークＮＴを介して、各ライブカメラ１０が接続されている。そして、管理装置２０は、ライブカメラ１０からのデータ乃至情報を、地図サーバ３０の地図・地図情報データベース（ＤＢ）３１、ＡＰサーバ４０のデータ管理ＤＢ４１、及び、ＷＷＷサーバ５０の画像データ管理ＤＢ５１に格納する。また、管理装置２０は、端末装置６０からの要求に応答して、前記データベース３１，４１，５１から各種情報を取得し、地図を含む管理用画面を作成して端末装置６０にネットワークＮＴを介して送信する。
【００２１】
前記端末装置６０は、クライアントサーバシステムにおけるクライアント側装置を構成する。実施の形態１に係る現場管理システムでは、ネットワークＮＴとして、汎用性、利便性の高さ等から、インターネットを想定している。よって、サーバ側装置２０，３０，４０，５０とクライアント側装置６０とは、ＴＣＰ／ＩＰ、ＨＴＴＰ等にしたがってデータの送受信を行う。しかし、本発明は、ＶＰＮ等の各種ＷＡＮ（広域ネットワーク）を利用して実現することも無論可能である。
【００２２】
図２は本発明の実施の形態１に係る現場管理システムの全体構成の詳細を示す機能ブロック図である。
ライブカメラ１０は、例えば、工事現場（施工現場）等の現場に配置され、所定範囲の対象物（施工対象物や土木構築物等）の画像を撮影して動画として配信する。詳細には、図２に示すように、ライブカメラ１０は、一般的なライブカメラ（インターネットカメラ、ウェブカメラまたはムービングカメラとも呼ばれる）と同様、自然や構造物等の対象を動画撮影するための撮影手段１１を有している。また、ライブカメラ１０は、ＧＰＳ受信機１２と方位センサ１３とを一体的に搭載している。更に、ライブカメラ１０は、入力制御手段１４と通信手段とを内蔵している。ＧＰＳ受信機１２は、ＧＰＳ（全世界測位システム）を利用してライブカメラ１２の位置データ（緯度及び経度、或いは、緯度及び経度及び高度等の座標データ）を取得する。方位センサ１３は、ライブカメラ１０の撮影方位データ（撮影方向データ）を取得する。入力制御手段１４は、撮影手段１１からの動画データと、ＧＰＳ受信機１２からの位置データと、方位センサ１３からの撮影方位データとを入力及び制御し、通信手段１５に出力する。通信手段１５は、入力制御手段１４からの動画データと位置データと方位データとを、ネットワークＮＴを介して管理装置２０に送信する。ここで、前記入力制御手段１４は、ハードウェア的にはＣＰＵ，ＲＯＭ．ＲＡＭ等により構成され、ソフトウェア的には、前記動画や位置データや方位データ等を所定のタイミングで信号処理等するプログラムにより構成される。
【００２３】
管理装置２０は、通信手段２１と、データ処理手段２２と、表示制御手段２３とを備えている。通信手段２１はネットワークＮＴを介して受信したライブカメラ１０からの動画データと位置データと方位データとをデータ処理手段２２に出力する。データ処理手段２２は、ライブカメラ１０からの動画データをＷＷＷサーバ５０に出力する。この動画データは、ＷＷＷサーバ５０の画像データ管理データベース（ＤＢ）５１に格納される。データ処理手段２２は、ライブカメラ１０の位置データ（座標データ）を地図サーバ３０に出力する。この位置データは、地図サーバ３０の地図・地図情報データベース（ＤＢ）３１に格納される。
【００２４】
地図・地図情報ＤＢ３１には、予め、現場が存在する各地域の地図が格納されている。更に、地図・地図情報ＤＢ３１には、工事現場等、実施の形態１の現場管理システムが管理する現場の位置データ（座標データ）が格納されている。前記アプリケーションサーバ４０のデータ管理データベース（ＤＢ）４１には、実施の形態１の現場管理システムのシステムプログラムが格納されると共に、ライブカメラ１０の属性（カメラ番号、仕様、性能等）、現場または工事の属性（工事種別、工事名、場所（住所）、工事期間、施工会社等）等が格納されている。
【００２５】
データ処理手段２２は、地図サーバ３０の地図・地図情報ＤＢ３１から、地図、ライブカメラ１０の位置データ、現場の位置データ等を取得自在である。また、データ処理手段２２は、アプリケーションサーバ４０のデータ管理ＤＢ４１から、ライブカメラ１０の属性、現場の属性等を取得自在である。更に、データ処理手段２２は、ＷＷＷサーバ５０の画像データ管理ＤＢ５１から、ライブカメラ１０の動画をリアルタイムで取得可能である。なお、ライブカメラ１０の方位データは、ライブカメラのパン操作等により常に変更されるため、データ処理手段２２は、前記ライブカメラ１０の方位データを特定のデータベースに格納せず、常にモニタしている。また、データ処理手段は、取得した地図、ライブカメラ１０の位置データ及び方位データ、ライブカメラ１０の属性、現場の属性、ライブカメラ１０の動画等を、表示制御手段２３に出力する。
【００２６】
表示制御手段２３は、データ処理手段２２から入力された地図、ライブカメラ１０の位置データ及び方位データ等に基づき、地図上において前記ライブカメラ１０の位置を表示すると共にライブカメラの撮影方向を表示した管理用地図（表示用イメージデータ）や、工事現場等の現場の詳細を記載したリスト等、各種情報を描画または作成自在である。表示制御手段２３が出力した管理用地図等は、通信手段２１から、ネットワークＮＴを介して、端末装置に配信される。また、ライブカメラ１０の動画は、データ処理手段２２及び表示制御手段２３により、通信手段２１からネットワークＮＴを介して端末装置６０に配信される。
【００２７】
前記地図サーバ３０は、前記地図と地図情報とを格納する地図・地図情報データベースサーバを構成する。また、前記アプリケーションサーバ４０は、前記カメラの属性や現場の属性等を格納するデータ管理データベースサーバを構成する。更に、ＷＷＷサーバ５０は、前記カメラから配信される動画を格納する画像管理データベースサーバを構成する。前記データ処理手段２２及び表示制御手段２３は、ハードウェア的にはＣＰＵ，ＲＯＭ，ＲＡＭ等により構成される。また、データ処理手段２２及び表示制御手段２３は、ソフトウェア的には、後述する各種処理（図１２〜図１７参照）を実行するプログラムにより構成される。
【００２８】
端末装置６０は、通信手段６１と、表示手段６２と、入力手段６３とを備える。表示手段６１は、ハードウェア的にはＣＲＴやＬＣＤ等のディスプレイにより構成される。また、表示手段６１のソフトウェアとしては、汎用性、利便性の高さ等から、ウェブブラウザを使用することが好ましい。また、入力手段６３は、ハードウェア的にはマウス等のポインティングデバイスやキーボード等の入力装置により構成される。また、入力手段６３は、前記管理装置２０から配信される管理用地図等に対する指令を行うこともできる。そのためのソフトウェアとしては、前記ウェブブラウザが有するＨＴＴＰ、ＣＧＩ等による各種要求機能を利用することができる。端末装置６０は、入力手段６３により管理用地図の配信を要求できると共に、動画の配信も要求できる。また、端末装置６０は、入力手段６３により、管理装置２０を介して、前記ライブカメラ１０を各種遠隔操作（チルト、パン、ズーム等）することも可能である。
【００２９】
ユーザインターフェース
次に、端末装置６０のユーザインターフェースの構成について説明する。図３は本発明の実施の形態１に係る現場管理システムの端末装置のユーザインターフェースを示す説明図である。
実施の形態１では、現場管理システムのサーバ側装置２０，３０，４０，５０が提供する情報は、インターネット上のウェブサイトとして管理及び運用される。よって、端末装置６０によりウェブブラウザを起動して、ネットワークＮＴを介してサーバ側装置２０，３０，４０，５０にアクセスすると、表示手段６２のディスプレイにおいてウェブブラウザのウインドウ１００に図３に示す内容の情報が表示される。なお、ウインドウ１００は、通常のウェブブラウザに見られるように、タイトルバー１０１、ツールバー１０２、アドレスバー１０３、「お気に入り」等の各種操作用のタブ１０４を有している。一方、ウインドウ１００の表示領域１１０の左側には、市町村選択ボックス１１１、工事種別検索ボックス１１２、住所検索ボックス１１３、工事詳細画面へのリンク１１４、工事名選択ボックス１１５、ＩＤ入力ボックス１１６、パスワード入力ボックス１１７、ログインボタン１１８が所定位置に配置して表示されている。表示領域１１０の中央部の主要範囲には、前記管理装置２０から配信された管理用地図１２０が表示されている。管理用地図１２０は、特定の地域範囲の地図上に、ライブカメラ１０のマーク（カメラ番号）１２１と撮影範囲１２２（撮影方向を含む）とを表示している。
【００３０】
ここで、通常、実施の形態１の現場管理システムの管理対象となる現場は、別個の地理的位置（場所）に複数（多数）存在する。また、ライブカメラ１０は複数配置されると共に、各ライブカメラ１０は１以上の前記現場を監視可能な位置に配置される。また、各ライブカメラ１０は、前記各現場を特定の方向から撮影するような方位（特定の撮影方向）に配置される。図２では、▲１▼〜▲６▼のマーク１２１を有する６台のライブカメラ１０が管理用地図１２０の現場付近にそれぞれ配置されている。また、各ライブカメラ１０は、所定の撮影範囲１２２を有し、その撮影範囲にある１または２以上の現場を監視可能である。撮影範囲１２２は、管理用地図１２０では、マーク１２１を頂点とする三角形状の色付き（例えば黄色）の範囲として表示されている。
【００３１】
ウインドウ１００において管理用地図１２０の左側には、管理用地図１２０を範囲移動するための矢印状（上、下、左、右、右上、右下、左上、左下）の移動ボタン１２５が表示されている。いずれかの移動ボタン１２５を選択実行（マウスクリック）することにより、管理用地図１２０の表示範囲をその移動ボタン１２５に対応する方向へ移動することができる。また、ウインドウ１００において管理用地図１２０の左側には、管理用地図１２０を縮尺変更するための縮尺変更ボタン１２６が表示されている。縮尺変更ボタン１２６は、「拡大」、「４Ｋｍ」、「２Ｋｍ」、「５００ｍ」、「縮小」からなり、「拡大」を選択実行することにより、管理用地図１２０を連続的に拡大表示でき、「縮小」を選択実行することにより、管理用地図１２０を連続的に縮小表示できる。また、「４Ｋｍ」、「２Ｋｍ」、「５００ｍ」のいずれかを選択実行すると、管理用地図１２０がその縮尺表示に変更される。ウインドウ１００において管理用地図１２０の右側には、ライブカメラ１０の所在地を示すリスト１２７が、各ライブカメラ１０のマーク１２１に対応して表示される。
【００３２】
端末装置６０の入力手段６３を使用し、管理用地図１２０における目的の現場にあるライブカメラ１０のマーク１２１を選択実行（マウスクリック等）すると、新たなウインドウ１５０が表示手段６２のディスプレイにマルチウインドウ表示される。ウインドウ１５０は、左側に、所在地ボタン１５５と拡大縮小ボタン１５６とを配置して表示している。また、ウインドウ１５０は、それ以外の主要部に表示領域１６０を有し、その表示領域１６０に、リアルタイムの動画（現場の映像Ｍ１）を映し出す。例えば、図２で、▲１▼（カメラ番号１）のマーク１２１を選択実行すると、ウインドウ１５０が表示されると共に、その表示領域１６０に、▲１▼（カメラ番号１）のマーク１２１に対応するライブカメラ１０が撮影した現場の映像Ｍ１がリアルタイムに映し出される。また、表示領域１６０の外周の上下左右には、それぞれ、矢印状の移動ボタン１６１が配置されている。いずれかの移動ボタン１６１を選択実行することにより、管理装置２０を介してライブカメラ１０を上下左右に移動（チルト、パン）して、表示領域１６０の映像Ｍ１をその移動ボタン１６１に対応する方向へ移動することができる。例えば、左方向（←）の移動ボタン１６１を選択実行すると、表示領域１６０の映像Ｍ１が左方向に移動して、映像Ｍ２が表示領域１６０に映し出される。一方、前記所在地ボタン１５５には、表示領域１６０内に映し出された現場の所在地が表示される。また、拡大縮小ボタン１５６は、「拡大」及び「縮小」からなり、「拡大」を選択実行することにより、管理装置２０を介してライブカメラ１０をズームアップ操作して、表示領域１６０内の映像Ｍ１を連続的に拡大表示できる。更に、「縮小」を選択実行することにより、管理装置２０を介してライブカメラ１０をズームダウン操作して、表示領域１６０内の映像Ｍ１を連続的に縮小表示できる。
【００３３】
実施の形態１の現場管理システムは、上記のように、ウェブ（ＷＷＷ）上でウェブサイトとして管理及び運用することが好ましい。この場合、例えば、工事発注者、施工業者（受注者）、施工管理者、施主等の関係者は、端末装置６０から、インターネットを介して、そのウェブサイトにいつでもどこからでもアクセスすることができ、管理装置２０を介して、現場の状況をリアルタイムに確認することができる。このとき、関係者は、ウインドウ１００のＩＤボックス１１６及びパスワードボックス１１７に自己のＩＤ（ユーザ名）及びパスワードを入力してログインボタン１１８を選択実行することにより、希望する現場付近の管理用地図１２０を表示することができる。また、管理装置２０や各サーバ３０，４０，５０からなるサーバ側システムを、地域住民等に対する情報公開用ホームページ（ウェブサイト）として開設し、オープンにすることで、地域住民等も、端末装置６０から、インターネットを介してそのウェブサイトにいつでもどこからでもアクセスすることができ、現場の状況をリアルタイムに確認することができる。この際、端末装置６０とウェブサイトの管理装置２０等とのデータの授受は、ＴＣＰ／ＩＰ、ＨＴＴＰ、ＣＧＩ等の所定の通信規約や処理手順に従って行われる。また、現場管理システムの情報管理は、利便性の高いＸＭＬ言語を使用して行われる。
【００３４】
実施の形態２
図４〜図１１は本発明の実施の形態２に係る現場管理システムの端末装置のユーザインターフェースを示し、図４は本発明の実施の形態２に係る現場管理システムの端末装置の初期表示画面を示す説明図である。図５は本発明の実施の形態２に係る現場管理システムの端末装置の工事場所変更表示画面を示す説明図である。図６は本発明の実施の形態２に係る現場管理システムの端末装置の工事内容詳細表示画面を示す説明図である。図７は本発明の実施の形態２に係る現場管理システムの端末装置の管理者用初期表示画面を示す説明図である。図８は本発明の実施の形態２に係る現場管理システムの端末装置におけるライブカメラの設定変更初期表示画面を示す説明図である。図９は本発明の実施の形態２に係る現場管理システムの端末装置におけるカメラ操作の制限画面を示す説明図である。図１０は本発明の実施の形態２に係る現場管理システムの端末装置におけるサービスの停止設定画面を示す説明図である。図１１は本発明の実施の形態２に係る現場管理システムの端末装置におけるライブカメラの位置修正画面を示す説明図である。
【００３５】
実施の形態２に係る現場管理システムは、実施の形態１と同様、図１及び図２に示すシステム構成を備えている。一方、実施の形態２に係る現場管理システムは、端末装置６０の表示手段６２のインターフェースとして、図４〜図１１に示すものを使用する。また、実施の形態１では、現場管理システムのサーバ側装置２０，３０，４０，５０が提供する情報は、インターネット上のウェブサイトとして管理及び運用される。そして、端末装置６０によりウェブブラウザを起動して、ネットワークＮＴを介してサーバ側装置２０，３０，４０，５０にアクセスすると、表示手段６２のディスプレイにおいてウェブブラウザのウインドウ２００に、初期表示画面として、図４に示す内容の情報が表示される。この初期表示画面は、工事場所の表示をするためのものである。詳細には、ウインドウ２００の左側の表示領域２１０には、市町村選択ボックス２１１、工事詳細画面へのリンク２１２、発注者登録画面へのリンク２１３等が所定位置に配置して表示されている。ウインドウ２００の中央部の主要範囲の表示領域には、前記管理装置２０から配信された管理用地図２２０が表示されている。管理用地図２２０は実施の形態１の管理用地図１２０と同様の構成であり、同様の処理により作成される。管理用地図２２０は、特定の地域範囲の地図上に、ライブカメラ１０のマーク（カメラ番号）２２１と撮影範囲２２２（撮影方向を含む）とを表示している。なお、初期画面では、初期設定した位置の地図が表示される。
【００３６】
ここで、通常、実施の形態２の現場管理システムの管理対象となる現場は、実施の形態１と同様、別個の地理的位置に複数存在する。また、ライブカメラ１０は複数配置されると共に、各ライブカメラ１０は１以上の前記現場を監視可能な位置に配置される。なお、図４の管理用地図２２０では、１台のライブカメラ１０のみ設置されている。しかし、管理用地図２２０を他の範囲へ移動すると、他のライブカメラのマーク２２１が表示されてくる。また、図４では、ライブカメラ１０が１８０度の方向に方向転換（パン）できることを示すため、ライブカメラ１０のマーク２２１には、３つの異なる撮影範囲２２２が表示されている。しかし、実際は、ライブカメラ１０は、単一の撮影範囲２２２を撮影し、その撮影範囲にある１または２以上の現場を監視する。
【００３７】
ウインドウ２００において管理用地図２２０の左側には、実施の形態１の移動ボタン１２５と同様の移動ボタン２２５が表示されている。いずれかの矢印の移動ボタン２２５を選択実行することにより、管理用地図２２０の表示範囲をその移動ボタン１２５に対応する方向へ移動することができる。また、ウインドウ２００において管理用地図２２０の左側には、実施の形態１の縮尺変更ボタン１２６と同様の縮尺変更ボタン２２６が表示され、実施の形態１と同様にして、管理用地図２２０を拡大、縮小、或いは縮尺変更することができる。なお、操作説明（アイコン）２２７を選択実行（クリック）することにより、現在の画面におけるシステムの操作説明が表示される。
【００３８】
ウインドウ２００において管理用地図２２０の下側には、ライブカメラ１０の属性や工事の属性を表示するための表示欄２３０が表示されている。図４の初期画面では、表示欄２３０には、現在の管理用地図２２０に表示されているライブカメラ１０のカメラ一覧表２３１が表示されている。カメラ一覧表２３１は、見出し項目として、「ライブカメラＮｏ．」、「場所」、「地図表示」を有する。「ライブカメラＮｏ．」は、ライブカメラ１０毎に割り振ったカメラ番号を表示する。「場所」は、ライブカメラ１０が設置される場所（所在地）を表示する。「地図表示」の「位置表示をする」というリンクを選択実行（クリック）すると、その行の「ライブカメラＮｏ．」（カメラ番号）のライブカメラ１０が設置された場所が中心となるよう、管理用地図２２０を移動表示する。
【００３９】
端末装置６０の入力手段６３を使用し、管理用地図２２０における目的の現場にあるライブカメラ１０のマーク２２１を選択実行（クリック）すると、実施の形態１と同様にして新たなウインドウ１５０が表示手段６２のディスプレイにマルチウインドウ表示され、そのライブカメラ１０の映像を映し出す。また、端末装置６０の入力手段６３によりリンク２１２を選択実行すると、ウインドウ３００の表示内容が、図４の初期画面から図５に示す工事場所表示画面に変更され、ライブカメラ１０の撮影範囲内の工事場所の詳細が表示される。更に、端末装置６０の入力手段６３によりリンク２１３を選択実行すると、ウインドウ３００の表示内容が、図４の初期画面から図７に示す管理者用初期表示画面（発注者登録画面）に変更される。
【００４０】
図５に示すように、工事場所表示画面では、管理用地図２２０には、表示中のライブカメラ１０の撮影範囲２２２内の工事場所（工事現場）２２３が表示される。図５では、▲１▼及び▲２▼の２箇所の工事場所２２３が表示されている。なお、▲１▼の工事場所２２３は、ライブカメラ１０が管理用地図２２０の上方（北）に向かう撮影範囲（中央の撮影範囲）２２２を有するときに、ライブカメラ１０により監視される。また、▲２▼の工事場所２２３は、ライブカメラ１０が管理用地図２２０の左方（西）に向かう撮影範囲（左側の撮影範囲）２２２を有するときに、ライブカメラ１０により監視される。一方、表示欄２３０には、カメラ一覧表２３１の代わりに、工事一覧表２３３が表示される。工事一覧表２３３は、管理用地図２２０上の表示された工事の一覧を表示すると共に、各工事の属性を表示するものであり、見出し項目として、「工事種別」、「工事名」、「場所」、「地図表示」を有する。「工事種別」は、工事場所２２３の工事の種別を表示する。「工事名」は、工事場所２２３の工事名を表示する。「場所」は、工事場所２２３の場所（所在地）を表示する。「地図表示」の「地図表示をする」というリンクを選択実行（クリック）すると、その行の工事場所２２３が中心となるよう、管理用地図２２０を移動表示する。また、管理用地図２２０の工事場所（アイコン）２２３を選択実行（クリック）すると、表示欄２３０に当該工事場所２２３の工事の詳細情報が表示される。（図６の工事内容詳細表示画面参照）。
【００４１】
図６に示すように、工事内容詳細表示画面では、表示欄２３０には、選択実行した工事場所２２３の工事内容の詳細リスト２３６が表示されている。詳細リスト２３６は、リスト上のタイトルと、工事の「場所」、「期間」、「施工会社」を表示する。また、詳細リスト２３６の情報には写真表示（アイコン）２３７が表示されている。写真表示２３７を選択実行（クリック）すると、その工事場所２２３について、住民に公開可能な範囲で工事写真が表示される。
【００４２】
図７に示すように、管理者用初期表示画面では、ウインドウ３００の左側の表示領域３１０には、市町村選択ボックス３１１、工事種別選択ボックス３１２、住所選択ボックス３１３が表示されている。また、表示領域３１０には、「工事一覧の表示」、「新規工事の追加」、「ライブカメラの追加」のそれぞれの表示画面に対するリンク３１４が表示されている。ウインドウ３００の主要範囲を占める表示領域３２０には、初期状態では、工事一覧表示部３２１と、基本画面編集部３２２と、工事情報変更部３２３とが左右に並列して表示されている。なお、前記「工事一覧の表示」のリンク３１４を選択実行しても、工事一覧表示部３２１と、基本情報編集部３２２と、工事情報変更部３２３とからなる初期画面が表示領域３２０に表示される。また、「ライブカメラの追加」のリンク３１４を選択実行すると、新たなライブカメラ１０を追加するための表示画面（図示略）が表示される。
【００４３】
工事一覧表示部３２１には、その発注者の担当する工事の工事名がリスト表示されている。なお、市町村選択ボックス３１１で所望の市町村を選択し、工事種別選択ボックス３１２で所望の工事種別を選択し、及び／または、住所選択ボックス３１３で所望の住所を選択して検索ボタンを選択実行することにより、工事一覧表示部３２１に所望の工事がリスト表示される。また、基本情報編集部３２２は、現場管理システムの設定の変更を行うためのものである。現場管理システムの設定変更としては、例えば、図８に示すライブカメラ１０の設定変更がある。工事情報変更部３２３は、工事情報（現場の座標、工事の属性等）の設定変更を行うためのものである。
【００４４】
図７のウインドウ３００において、工事一覧表示部に表示された工事のうち、所望の工事に対応する基本情報編集部３２２のアイコンをクリックすると、例えば、図８に示すライブカメラの設定変更初期表示画面（発注者編集画面）がウインドウ３００に表示される。この発注者編集画面では、表示領域３１０には、「カメラ操作の制限」のリンク３１５と、「サービスの停止」のリンク３１６と、「位置情報の修正」のリンク３１７とが表示されている。また、表示領域３３０には、前記管理用地図２２０等が表示されている。「カメラ操作の制限」のリンク３１５を選択実行すると、ライブカメラ１０の操作の制限をするための「カメラ操作の制限画面」（図９参照）がウインドウ３００に表示される。また、「サービスの停止」のリンク３１６を選択実行すると、サービスを停止するための「サービスの停止設定画面」（図１０参照）がウインドウ３００に表示される。更に、「位置情報の修正」のリンク３１７を選択実行すると、ライブカメラ１０の位置情報の修正をするための「ライブカメラの位置修正画面」がウインドウ３００に表示される。
【００４５】
図９はカメラ操作の制限画面を示す。カメラ操作の制限画面では、ウインドウ３００の表示領域３４０には、「一般に操作を許可する」のチェックボックス３４１と、「パン」のチェックボックス３４２と、「ズーム」のチェックボックス３４３と、「チルトのチェックボックス３４４と、決定ボタン３４５とが配置されている。「一般に操作を許可する」のチェックボックス３４１にチェックマークを入れると、一般の閲覧者がカメラ操作を行うことができる設定となる。逆に、「一般に操作を許可する」のチェックボックス３４１のチェックマークを外すと、一般の閲覧者がカメラ操作を行うことができない設定となる。また、「パン」のチェックボックス３４２、「ズーム」のチェックボックス３４３または「チルトのチェックボックス３４４にチェックマークを入れると、一般の閲覧者がパン、ズームまたはチルトのカメラ操作を行うことができる設定となる。逆に、「パン」のチェックボックス３４２、「ズーム」のチェックボックス３４３または「チルトのチェックボックス３４４のチェックマークを外すと、一般の閲覧者がパン、ズームまたはチルトのカメラ操作を行うことができない設定となる。上記の設定を行った後、決定ボタン３４５を選択実行すると、その設定がシステムに反映される。
【００４６】
図１０はサービスの停止設定画面を示す。サービスの停止設定画面では、ウインドウ３００の表示領域３５０には、サービスの停止を設定するための決定ボタン３５１が配置されている。この画面で決定ボタン３５１を選択実行すると、ライブカメラ１０によるライブ中継の一般公開を停止する設定がシステムに反映される。
【００４７】
図１１はライブカメラの位置修正画面を示す。ライブカメラの位置修正画面では、ウインドウ３００の表示領域３６０には、前記管理用地図２２０等が表示されている。ライブカメラの位置修正画面は、設置したライブカメラ１０の位置情報の修正を行うためのものである。即ち、ライブカメラ１０の設置位置が変更された際には、内蔵したＧＰＳ受信機１２により設置場所が更新される。しかし、ライブカメラ１０の設置位置を微調整等行いたい場合は、このライブカメラの位置修正画面を利用する。具体的には、ＧＰＳ受信機１２の位置情報によれば、管理用地図２２０上のある位置にマーク２２１が表示されている場合でも、その位置が実際の設置位置と若干異なる場合もある。よって、そのような場合等には、管理用地図２２０上の変更したい場所２２１Ｘをクリックすることにより、その位置にライブカメラ１０の位置（マーク２２１）を登録することができる。
【００４８】
管理システムのデータ処理（機能実現手段）
図１２は本発明の実施の形態１及び２に係る現場管理システムの入力処理を示すフローチャートである。図１３は本発明の実施の形態１及び２に係る現場管理システムの表示処理を示すフローチャートである。図１４は本発明の実施の形態１及び２に係る現場管理システムの動画配信処理を示すフローチャートである。図１５は本発明の実施の形態１及び２に係る現場管理システムの目的地移動処理を示すフローチャートである。図１６は本発明の実施の形態１及び２に係る現場管理システムの工事位置データ処理を示すフローチャートである。図１７は本発明の実施の形態１及び２に係る現場管理システムの撮影場所変更処理を示すフローチャートである。
【００４９】
まず、処理の概略について説明すると、前記管理装置２０は、前記地図・地図情報ＤＢ３１から取得した特定地域の地図上に、前記ライブカメラ１０の位置を表示した地図情報を作成する。詳細には、管理装置２０は、ライブカメラ１０の位置データを前記データ管理ＤＢ４１から取得すると共に、そのライブカメラ１０が存在する特定の地域の地図を地図・地図情報ＤＢ３１から取得する。そして、ライブカメラ１０の位置データに基づき、その地図上にそのライブカメラ１０の位置を特定して表示する。更に、管理装置２０は、ライブカメラ１０の方位データを前記データ管理ＤＢ４１から取得する。そして、ライブカメラ１０の方位データに基づき、前記地図上にそのライブカメラ１０の方位を特定して表示する。具体的には、管理装置２０は、ライブカメラ１０の撮影方向（撮影手段１１としてのカメラレンズの方向）を方位データにより判断する。加えて、管理装置２０は、ライブカメラ１０の撮影方向と、その撮影手段１１に固有の撮影可能範囲とに基づき、ライブカメラ１０の撮影範囲を前記地図上に表示したライブカメラ１０に加えて表示する。なお、前記ライブカメラ１０の撮影手段１１に固有の撮影可能範囲葉、例えば、撮影手段１１のカメラレンズ等の光学系やＣＣＤ等の撮像素子等により決定可能である。上記のようにして、地図上にライブカメラ１０の位置と撮影方向を含む撮影範囲とを表示したものが、前記地図情報となる。そして、管理装置２０は、このように作成した地図情報を前記地図サーバ３０の地図・地図情報ＤＢ３１に格納する。
【００５０】
処理の詳細を図１２〜図１７のフローチャートに従って説明する。端末装置６０から管理装置２０にアクセスすると、図１２に示すように、管理装置２０は、入力処理として、まず、ＳＴＥＰ１１で、データ処理手段２２により、ＧＰＳ受信機１２からの位置データに基づいてライブカメラ１０の設置位置を取得し、ＳＴＥＰ１２で、方位センサ１３からの方位データに基づいてライブカメラ１０の撮影方位を取得し、ＳＴＥＰ１３で、前記方位データ及びライブカメラ１０のズーム等のカメラ操作に基づいてライブカメラ１０の撮影範囲（撮影領域）を取得する。次に、管理装置２０は、ＳＴＥＰ１４で、表示制御手段２３及び通信手段２１を介して、ライブカメラ１０の撮影画像を端末装置６０に配信する。
【００５１】
図１３に示すように、管理装置２０は、表示処理として、まず、ＳＴＥＰ２１で、ライブカメラ１０の位置と方位とを管理用地図１２０，２２０に表示し、ＳＴＥＰ２２で、管理用地図１２０，２２０の表示処理（描画処理）を行う。次に、管理装置２０は、端末装置６０からの要求に応じて、ＳＴＥＰ３０の動画配信処理（図１４参照）、ＳＴＥＰ４０の目的地移動処理（図１５参照）及びＳＴＥＰ５０の工事位置情報処理（図１６参照）のいずれかの処理に移行する。ＳＴＥＰ３０では、更に、ＳＴＥＰ６０で、撮影場所変更処理を実行する（図１７参照）。
【００５２】
詳細には、図１４に示すように、ＳＴＥＰ３０の動画配信処理では、管理装置２０は、まず、ＳＴＥＰ３１で、端末装置６０からのライブカメラ１０の選択要求（マーク１２１，２２１のクリック）に基づいて、撮影状況を配信するライブカメラ１０の選択処理を行う。このとき、動画は、マルチウインドウ表示されることもある。次に、管理装置２０は、ＳＴＥＰ３２で、ライブカメラ１０の端末装置６０へ、選択したライブカメラ１０の動画の配信処理を行い、処理を終了する。
【００５３】
図１５に示すように、ＳＴＥＰ４０の目的地移動処理では、管理装置２０は、まず、ＳＴＥＰ４１で、端末装置６０の移動ボタン１２５，２２５の操作に応答して、管理用地図１２０，２２０における目的地を移動すべく、管理用地図１２０，２２０の表示位置の更新処理を行う。次に、管理装置２０は、ＳＴＥＰ４２で、更新後の管理用地図１２０，２２０の表示範囲内におけるライブカメラ１０及び工事情報等を検索すべく、地図情報の検索処理を行う。次に、管理装置２０は、ＳＴＥＰ４３で、管理用地図１２０，２２０の地図情報の表示処理を行い、ＳＴＥＰ４２の地図情報検索処理で抽出したデータ（ライブカメラ１０のマーク１２１，２２１や工事場所２２３等）をシンボル表示して、処理を終了する。
【００５４】
図１６に示すように、ＳＴＥＰ５０の工事位置情報処理では、端末装置６０から、特定のライブカメラ１０（マーク１２１，２２１）を選択する要求がきた場合、管理装置２０は、まず、ＳＴＥＰ５１で、そのライブカメラ１０の撮影範囲内に存在する工事場所を抽出する検索処理を行う。次に、管理装置２０は、ＳＴＥＰ５２で、抽出された工事場所の工事（工事情報）に関する属性取得処理を行う。次に、管理装置２０は、ＳＴＥＰ５３で、抽出した工事場所（マーク２２３）を管理用地図１２０，２２０にシンボル表示する表示処理を行い、処理を終了する。
【００５５】
図１７に示すように、ＳＴＥＰ６０の撮影場所変更処理では、管理装置２０は、まず、ＳＴＥＰ６１で、端末装置６０からの縮尺変更ボタン１２６，２２６等による拡大、縮小、スクロール等の要求に応答して、ライブカメラ１０の撮影範囲の変更処理を行う。次に、管理装置２０は、ＳＴＥＰ６２で、そのライブカメラ１０の撮影方位の取得処理を行い、ＳＴＥＰ６３で、撮影範囲の取得処理を行う。次に、管理装置２０は、ＳＴＥＰ６４で、取得した撮影方位及び撮影範囲に基づき、その撮影方位及び撮影範囲の変更に伴って、管理用地図１２０，２２０上に表示しているライブカメラ１０の撮影範囲１２２，２２２の表示変更処理を行い、処理を終了する。
【００５６】
効果
上記各実施の形態の現場管理システムによれば、各業者からアップされるライブカメラ１０の映像を、地図サーバ３０に集約することができる。そして、施工管理者や住民等は、端末装置６０からアクセスすることで、全ての施工現場を表示手段６２の地図上で一覧表示することができる。また、管理用地図１２０に表示したライブカメラ１０のマーク１２１をクリックするだけで、そのライブカメラが監視する施工現場の現在の映像を確認できる。このようにして、複数の工事現場に設置されたライブカメラ１０の映像を、ホームページ上で簡単に見ることができる。
【００５７】
従来の単なるインターネットカメラは、動画は見ることができても、自分が一体殿方向を見ているのかを正確に把握することは困難であるが、実施の形態１の現場管理システムは、地図上に設置されたライブカメラ１０の撮影範囲や方向を分かりやすく表示するため、現場の地理に詳しくない場合でも、見ている映像の把握が大変容易になる。また、選択したライブカメラ１０を撮影範囲内でコントロール（チルト、パン、ズーム等）することもできる。更に、現地に行かなくても、端末装置６０としてのパソコン等で地図を見ながら、複数の工事の進行状況をライブな映像で確認できる。更にまた、ライブカメラ１０の設置場所が、地図上に表示されるので、いくつ現場があっても、ひと目で理解することができる。また、工事現場と共にライブカメラ１０が移動しても、ライブカメラ１０に内蔵されたＧＰＳ受信１２と方位線さ３とにより、自動的に新しい位置情報が現場管理システムに反映される。更に、現場管理システムには、情報公開機能（情報公開用ホームページ）を装備することができ、簡単なウェブ管理により、住民公開サイトを自動生成して、コスト及び手間を削減できる。また、今現在の工事状況等の現場の状況をすぐに知ってもらいたいときに、情報伝達のタイムラグをなくすことができる。また、リアルタイムで現場を確認して、現場の今の状況を把握することができるため、例えば、山肌の工事を行っている地域の住民に対し、現在の状況を提供して、土砂崩れ等に対する災害チェック機能を発揮することができ、また、災害時にも威力を発揮する。
【００５８】
なお、本発明の現場管理システムは、工事現場のみならず、状況をリアルタイムに確認して管理することが好ましい現場であれば、いかなる現場にも適用することができる。
【００５９】
【発明の効果】
請求項１〜７の現場管理システム及び請求項８〜１０の現場管理システム用管理装置によれば、工事現場の状況をリアルタイムに確認することができると共に、工事現場が複数存在する場合には、それら複数の工事現場から送信された画像がどの工事現場に対応するものかを容易に把握することができ、複数の工事現場を効率的に管理することが可能となる。
【図面の簡単な説明】
【図１】図１は本発明の実施の形態１に係る現場管理システムを示す機能ブロック図である。
【図２】図２は本発明の実施の形態１に係る現場管理システムの全体構成の詳細を示す機能ブロック図である。
【図３】図３は本発明の実施の形態１に係る現場管理システムの端末装置のユーザインターフェースを示す説明図である。
【図４】図４は本発明の実施の形態２に係る現場管理システムの端末装置の初期表示画面を示す説明図である。
【図５】図５は本発明の実施の形態２に係る現場管理システムの端末装置の工事場所変更表示画面を示す説明図である。
【図６】図６は本発明の実施の形態２に係る現場管理システムの端末装置の工事内容詳細表示画面を示す説明図である。
【図７】図７は本発明の実施の形態２に係る現場管理システムの端末装置の管理者用初期表示画面を示す説明図である。
【図８】図８は本発明の実施の形態２に係る現場管理システムの端末装置におけるライブカメラの設定変更初期表示画面を示す説明図である。
【図９】図９は本発明の実施の形態２に係る現場管理システムの端末装置におけるカメラ操作の制限画面を示す説明図である。
【図１０】図１０は本発明の実施の形態２に係る現場管理システムの端末装置におけるサービスの停止設定画面を示す説明図である。
【図１１】図１１は本発明の実施の形態２に係る現場管理システムの端末装置におけるライブカメラの位置修正画面を示す説明図である。
【図１２】図１２は本発明の実施の形態１及び２に係る現場管理システムの入力処理を示すフローチャートである。
【図１３】図１３は本発明の実施の形態１及び２に係る現場管理システムの表示処理を示すフローチャートである。
【図１４】図１４は本発明の実施の形態１及び２に係る現場管理システムの動画配信処理を示すフローチャートである。
【図１５】図１５は本発明の実施の形態１及び２に係る現場管理システムの目的地移動処理を示すフローチャートである。
【図１６】図１６は本発明の実施の形態１及び２に係る現場管理システムの工事位置データ処理を示すフローチャートである。
【図１７】図１７は本発明の実施の形態１及び２に係る現場管理システムの撮影場所変更処理を示すフローチャートである。
【符号の説明】
１０：ライブカメラ、２０：管理装置、６０：端末装置
【図１】
2004193690.tif 000003
【図２】
2004193690.tif 000004
【図３】
2004193690.tif 000005
【図４】
2004193690.tif 000006
【図５】
2004193690.tif 000007
【図６】
2004193690.tif 000008
【図７】
2004193690.tif 000009
【図８】
2004193690.tif 000010
【図９】
2004193690.tif 000011
【図１０】
2004193690.tif 000012
【図１１】
2004193690.tif 000013
【図１２】
2004193690.tif 000014
【図１３】
2004193690.tif 000015
【図１４】
2004193690.tif 000016
【図１５】
2004193690.tif 000017
【図１６】
2004193690.tif 000018
【図１７】
2004193690.tif 000019